(57)【特許請求の範囲】
【請求項１】
入口に機械的に連結するよう構成された取付機構と、
前記入口と関連付けられた環境信号を測定するよう構成されたセンサー機構と、前記センサー機構は、振動センサーと音響変換器とのうち１つを含み、及び、
前記センサー機構と電気的に連結し、前記測定された環境信号を分析して前記入口に関連付けられた環境条件を特定するよう構成された集積回路と、を備える電子機器であって、該分析は、前記入口に関連付けられた機械的伝達関数を使用して、かつ、前記入口の前記電子機器の場所に基づいて、前記入口の動的応答に関して、前記測定された環境信号を補正することを含む、電子機器。
【請求項２】
前記取付機構は、前記入口と機械的に連結するよう構成されたインピーダンス整合材料を有する面を含む、請求項１に記載の電子機器。
【請求項３】
前記入口は、扉及び窓のうち１つを含む、請求項１に記載の電子機器。
【請求項４】
前記環境条件を別の電子機器に通信するよう構成されたインタフェース回路を更に備える、請求項１に記載の電子機器。
【請求項５】
前記入口に機械的に連結された１以上の追加の電子機器と通信するよう構成されたインタフェース回路を更に備え、
前記分析は、前記１以上の追加の電子機器によって提供された測定された環境信号に基づいて行われる、請求項１に記載の電子機器。
【請求項６】
前記センサー機構及び前記集積回路に電気的に連結され、電力信号を前記センサー機構及び前記集積回路に提供するよう構成された電源を更に備える、請求項１に記載の電子機器。
【請求項７】
前記センサー機構及び前記集積回路に電気的に連結され、前記電子機器の外部環境の電磁放射から電力信号を受信して、前記電力信号を前記センサー機構及び前記集積回路に提供するよう構成された受信回路を更に備える、請求項１に記載の電子機器。
【請求項８】
前記分析は、前記環境信号の測定値の履歴に基づいて行われる、請求項１に記載の電子機器。
【請求項９】
前記センサー機構は、加速度計、速度センサー、光学センサー、位置センサー、及び、方向センサーのうち１つを更に含む、請求項１に記載の電子機器。
【請求項１０】
前記環境条件は、前記入口を無理に開ける試み、前記入口を無理に開けること、前記入口を壊す試み、前記入口を壊すこと、前記入口に関連付けられた錠のピッキングの試み、前記錠のピッキング、前記入口の錠のドリリングの試み、前記入口の枠を傷つける試み、前記入口に進入する動物、前記入口に進入する人の音声応答、前記入口のノック、前記入口付近への小包みの配達、誤った鍵の前記錠への挿入、及び、正しい鍵の前記錠への挿入のうち１つを含む、請求項１に記載の電子機器。
【請求項１１】
入口に機械的に連結するよう構成された取付機構と、
前記入口と関連付けられた環境信号を測定するよう構成されたセンサー機構と、前記センサー機構は、振動センサーと音響変換器とのうち１つ以上を含み、及び、
前記センサー機構と電気的に連結し、前記入口に関連付けられた環境条件を特定するため、前記測定された環境信号を他の電子機器に通信し、そして前記他の電子機器によって、前記入口の機械的伝達関数を使用して、かつ、前記入口の前記センサー機構の場所に基づいて、前記入口の動的応答に関して、前記測定された環境信号が補正されるように、前記場所を通信するよう構成されたインタフェース回路と、を備える電子機器。
【請求項１２】
前記取付機構は、前記入口と機械的に連結するよう構成されたインピーダンス整合材料を有する面を含む、請求項１１に記載の電子機器。
【請求項１３】
前記入口は、扉及び窓のうち１つを含む、請求項１１に記載の電子機器。
【請求項１４】
前記センサー機構及び前記インタフェース回路に電気的に連結され、電力信号を前記センサー機構及び集積回路に提供するよう構成された電源を更に備える、請求項１１に記載の電子機器。
【請求項１５】
前記センサー機構及び前記インタフェース回路に電気的に連結され、前記電子機器の外部環境の電磁放射から電力信号を受信して、前記電力信号を前記センサー機構及び集積回路に提供するよう構成された受信回路を更に備える、請求項１１に記載の電子機器。
【請求項１６】
前記センサー機構は、加速度計、速度センサー、光学センサー、位置センサー、及び、方向センサーのうち１つ以上を更に含む、請求項１１に記載の電子機器。
【請求項１７】
前記環境条件は、前記入口を無理に開ける試み、前記入口を無理に開けること、前記入口を壊す試み、前記入口を壊すこと、前記入口に関連付けられた錠をピッキングする試み、前記錠をピッキングすること、前記入口の錠のドリリングの試み、前記入口の枠を傷つける試み、前記入口に進入する動物、前記入口に進入する人の音声応答、前記入口のノック、前記入口付近への小包みの配達、誤った鍵の前記錠への挿入、及び、正しい鍵の前記錠への挿入のうち１つを含む、請求項１１に記載の電子機器。
【請求項１８】
入口と関連付けられた環境条件を特定する、電子機器に実装された方法であって、
前記入口に機械的に連結された１以上の追加の電子機器から、測定された環境信号を受信することと、前記環境信号は振動及び音響信号のうち１つに対応し、前記１以上の追加の電子機器は前記入口の異なる場所に置かれており、及び、
前記電子機器を使用して、前記測定された環境信号を分析して前記環境条件を特定することと、前記分析は、前記環境信号の測定値の履歴に基づいて行われる、を含むものであって、
前記分析は、前記入口に関連付けられた機械的伝達関数を使用して、かつ、前記入口にある前記１以上の追加の電子機器の前記異なる場所に基づいて、前記入口の動的応答に関して、前記測定された環境信号を補正することを伴う、方法。
【請求項１９】
前記入口は、扉及び窓のうち１つを含む、請求項１８に記載の方法。
【請求項２０】
前記環境条件は、前記入口を無理に開ける試み、前記入口を無理に開けること、前記入口を壊す試み、前記入口を壊すこと、前記入口に関連付けられた錠をピッキングする試み、前記錠をピッキングすること、前記入口の錠のドリリングの試み、前記入口の枠を傷つける試み、前記入口に進入する動物、前記入口に進入する人の音声応答、前記入口のノック、前記入口付近への小包みの配達、誤った鍵の前記錠への挿入、及び、正しい鍵の前記錠への挿入のうち１つを含む、請求項１８に記載の方法。
【発明の詳細な説明】
【技術分野】
【０００１】
記載される実施形態は、概して、入口を監視する電子機器に関する。より具体的には、記載される実施形態は、入口と関連付けられた環境条件を決定する技術に関する。
【背景技術】
【０００２】
接続性及び携帯電子機器の動向は、人々の生活に劇的な変化をもたらした。例えば、インターネットによって、個人が膨大な情報にアクセスできるようになり、世界中の人、組織、及び、企業とつながり、係わりあうことが可能になった。その結果、オンライン上の商取引（「ｅコマース」と称されることもある）が著しく拡大した。同様に、これらの変化に拍車をかけたのが、携帯電子機器（スマートフォン及びタブレットなど）の計算能力や通信能力の増強と、増え続ける豊富なアプリケーションであり、個人はどこからでも情報にアクセスでき、この情報を利用して様々な作業を行えるようになった。
【０００３】
近年、私たちの環境の至る所に置かれた使用頻度の少ない電子機器も含めたその他の電子機器にも、これらの能力を持たせることが提案されている。いわゆる、「モノのインターネット」では、このようないわゆる「背景」電子機器のこれからのバージョンに、より強力な計算能力とネットワーキングサブシステムを備えさせ、有線通信又は無線通信を可能にすることが提案されている。例えば、背景電子機器は、携帯電話ネットワークインタフェース（ＬＴＥなど）、無線ローカルエリアネットワークインタフェース（例えば、米国電気電子学会（ＩＥＥＥ）８０２．１１標準に規定されているような無線ネットワーク、又は、ワシントン州、カークランドのＢｌｕｅｔｏｏｔｈ  Ｓｐｅｃｉａｌ  Ｉｎｔｅｒｅｓｔ  ＧｒｏｕｐによるＢｌｕｅｔｏｏｔｈＴＭ）、及び／又は、その他の種類の無線インタフェース（近距離無線通信など）を含むことがある。これらの能力によって、背景電子機器が情報ネットワークに統合され、人々の生活を更に変容させるかもしれない。
【０００４】
しかしながら、人々の家庭、オフィス、及び、車両内にある背景電子機器の大半は、拡張された計算能力（多様なアプリケーションを実行できるプロセッサなど）やネットワーキングサブシステムを持たない。多くのマーケットセグメント（消費者マーケットセグメントなど）の経済状態を考慮すると、これらいわゆる「レガシー」背景電子機器（「レガシー電子機器」と称されることもある）が、速やかに刷新されるとは考え難い。
【０００５】
このような参入や変更の障壁は、モノのインターネットの普及に障害となる。例えば、拡張された計算能力、及び／又は、ネットワーキングサブシステムがない場合、レガシー電子機器との通信は難しいことがある。更に、電子機器が拡張された計算能力、及び／又は、ネットワーキングサブシステムを含む場合でも、電力消費や電池寿命によって、実施可能なアプリケーション及びタスクが制限されることがある。
【発明の概要】
【０００６】
記載される実施形態は、電子機器を入口に機械的に連結させる取付機構を含む電子機器に関する。また、電子機器は、入口と関連付けられた環境信号を測定するセンサー機構を含み、センサー機構は、振動センサー及び／又は音響変換器を含む。更に、電子機器は、測定された環境信号を分析して入口と関連付けられた環境条件を特定する集積回路を含む。
【０００７】
なお、取付機構は、入口に機械的に連結するよう構成されたインピーダンス整合材料を有する面を含むことがある。
【０００８】
また、入口は扉及び／又は窓を含むことがある。
【０００９】
一部の実施形態では、電子機器は、環境条件を他の電子機器に通信するインタフェース回路を含む。あるいは、又は、それに加えて、インタフェース回路は、入口に機械的に連結された１以上の追加の電子機器と通信することがある。これら実施形態では、分析は、１以上の追加の電子機器によって提供された、測定された環境信号に基づいて行われる。
【００１０】
更に、電子機器は、センサー機構と集積回路とに電力信号を提供する電源を含むことがある。あるいは、又は、それに加えて、電子機器は、電子機器の外部環境中の電磁放射から電力信号を受信し、電力信号をセンサー機構及び集積回路に提供する受信回路を含むことがある。
【００１１】
なお、分析には、入口の電子機器の場所に基づいて、入口に関連付けられた機械的伝達関数のために、測定された環境信号を補正することを含むことがある。また、分析は、環境信号の測定の履歴に基づいて行われることがある。
【００１２】
更に、センサー機構は、加速度計、速度センサー、光学センサー、位置センサー、及び／又は、方向センサーを含むことがある。
【００１３】
加えて、環境条件は、入口を無理に開ける試み、入口を無理に開けること、入口を壊す試み、入口を壊すこと、入口に関連付けられた錠をピッキングする試み、錠をピッキングすること、入口の錠をドリリングする試み、入口の枠を傷つける試み、入口に進入する動物、入口に進入する人の音声応答、入口のノック、入口付近への小包みの配達、誤った鍵の錠への挿入、及び／又は、正しい鍵の錠への挿入を含むことがある。
【００１４】
別の実施形態では、上記追加の電子機器の１つが提供される。追加の電子機器は、測定された環境信号を電子機器に通信することで、電子機器が入口に関連付けられた環境条件を特定できるようにする。
【００１５】
別の実施形態では、上記集積回路が提供される。
【００１６】
別の実施形態では、電子機器及び、上記１以上の追加の電子機器を有するシステムが提供される。
【００１７】
別の実施形態では、上記電子機器によって実施されることがある、入口と関連付けられた環境条件を特定する方法が提供される。動作中、電子機器は、入口に機械的に連結された１以上の追加の電子機器から、測定された環境信号を受信する。環境信号は振動及び／又は音響信号と対応し（関連し）、１以上の追加の電子機器は入口の異なる場所に置かれている。そして、電子機器は、測定された環境信号を分析して環境条件を特定する。分析は、環境信号の測定値の履歴に基づいて行われる。
【００１８】
一部の実施形態では、分析は、入口にある１以上の追加の電子機器の異なる場所に基づいて、入口に関連付けられた機械的伝達関数のために、測定された環境信号を補正することを伴う。
【００１９】
上記発明の概要は、いくつかの好ましい実施形態の概要として、また、本明細書に記載された主題の局面に関する基本的な認識に資するため、提供される。従って、上述した特徴は例示にすぎず、本明細書に記載された主題の範囲と精神を狭めるものと解釈されてはならない。本明細書に記載された主題のその他の特徴、局面、及び、効果は、以下の発明を実施するための形態、図面、特許請求の範囲において明らかにされる。
【図面の簡単な説明】
【００２０】
【図１】本開示の実施形態に係わるシステムを示すブロック図である。
【００２１】
【図２】本開示の実施形態に係わる図１のシステムにおける、電子機器を示すブロック図である。
【００２２】
【図３】本開示の実施形態に係わる図１及び図２の電子機器における、集積回路のブロック図である。
【００２３】
【図４】本開示の実施形態に係わる入口に関連付けられた環境条件を特定する方法を示すフロー図である。
【００２４】
【図５】本開示の実施形態に係わる図４の方法を示す図である。
【００２５】
【図６】本開示の実施形態に係わる図４の方法中の図１及び図２の電子機器内の通信を示す図である。
【００２６】
なお、図面中で、同様の参照番号は対応部分を参照する。また、同一部分に関する複数の事例は共通の接頭辞、ダッシュの区切り、事例番号で指定される。
【発明を実施するための形態】
【００２７】
入口（扉又は窓など）と関連付けられた環境条件を特定する電子機器を説明する。特に、電子機器のセンサー機構は、振動及び／又は音波など、入口と関連付けられた環境信号を測定する。例えば、環境条件は、入口を壊す又は無理に開ける試み、又は、錠をピッキングする試みを含むことがあり、その結果発生し得る振動及び／又は音波は、センサー機構によって測定される。そして、電子機器の集積回路が、測定された環境信号を分析して環境条件を特定する。測定を円滑にするために、電子機器はインピーダンス整合材料によって入口に機械的に連結されることがあり、それによって振動及び／又は音波が電子機器に伝わる。また、分析は、入口に機械的に連結された１以上の追加の電子機器から受信された、測定された環境信号に基づいて行われてもよく、及び／又は、分析は、入口の電子機器の場所に基づいて、入口と関連付けられた機械的伝達関数のために、測定された環境信号を補正することを伴うことがある。
【００２８】
このように、電子機器は環境条件を特定するために、入口を監視することがある。この性能によって、セキュリティ又は入口に関連付けられた行為に対する意識の向上など、各種サービスが促進されることがある。例えば、電子機器は、誰かが入口をノックしているとき、又は、小包みが配達されたときを決定することがある。加えて、電子機器は、（低コストとわずかな労力で）即座に配置、又は、設置でき、改善された動作寿命を持ち（例えば、電池の充電又は交換までの電池寿命が長い）、使用が容易な、環境監視装置を表すことがある。つまり、電子機器は、電子機器を含む外部環境において、入口に関連付けられた環境条件を監視する、小さくて低コストの方法を提供することがある。結果として改善された機能性とサービスが電子機器によって提供されるため、電子機器の販売（そして、より一般的には、商業活動）が促進され、そして、電子機器への顧客満足度が高まることがある。
【００２９】
なお、この環境監視技術は抽象的な概念ではない。特に、環境監視技術の実施形態に含まれる環境条件の監視は、経済の基本原則、人間活動（環境監視技術の運用は、典型的に、騒音環境の測定を伴う）、及び／又は、数学的関係／数式ではない。また、環境監視技術は、主張される一抽象概念よりもかなり広い範囲に及ぶ。特に、環境監視技術は、ソフトウェアを実行する、及び／又は、環境監視技術を実施する電子機器の機能性を改善することがある。例えば、環境監視技術は、環境監視技術の実施中（分析など）の計算速度を上げ、計算を行う際のメモリ消費を削減し、計算の信頼性を向上させ（環境条件の監視が向上することで実証される）、測定又は分析の結果を表示するユーザインタフェースの操作性を向上し（例えば、入口と関連付けられた環境条件の情報を利用者が見られるようにすることで）、及び／又は、電子機器の機能に関連するその他の性能測定基準を改善することがある。更に、電子機器中のセンサー機構による測定は、情報を変換するという技術的効果を構成する。
【００３０】
以下、電子機器の実施形態を説明する。図１は、システム１００の電子機器１１０を示すブロック図を表す。このシステムは、入口１１２（扉又は窓など）を含み、入口は、その状態に基づいて（例えば、開いている又は閉じている）、囲い（部屋又は建物など）への選択的アクセスを許可する。１以上の電子機器１１０が、入口１１２の異なる位置又は場所１１４で入口１１２に機械的に連結されることがある。例えば、１以上の電子機器１１０は、入口１１２に接着された（又は、接着材又はテープで貼り付けられた）面、入口１１２にねじ又は釘で取り付けられたブラケット、クランプ、結束バンド、粘着テープ、巻きつけ材などを用いて入口１１２に取り付けられたブラケット、入口１１２に溶接又は半田付けされたブラケットなど、取付機構１１６の少なくとも一部を含む、又は、取付機構１１６に連結されることがある。つまり、機械的連結は、着脱可能でもよく、又は、簡単には置き換えられない強固な連結を伴うことがある。
【００３１】
入口１１２と関連付けられた環境条件の特定を促進するため、１以上の電子機器１１０が入口１１２を監視することがある。電子機器１１０‐１を一例とすると、センサー機構１１８‐１は、入口１１２と関連付けられた環境信号を測定することがある。例えば、センサー機構１１８‐１は、振動、音波、衝撃、入口１１２の場所、入口１１２の動き、入口１１２の加速、及び、より一般的には、入口１１２の変位に関連したパラメータを測定することがある。したがって、振動センサー、音響変換器、速度センサー、光学センサー、位置センサー、及び／又は、方向センサーを含む、異なる物理的法則に基づいた豊富な種類のセンサーが、入口１１２の変位を直接、又は、間接的に検知するために、センサー機構１１８‐１で使用され得る。センサー機構１１８‐１が振動及び／又は音波を測定する実施形態では（例えば、２０Ｈｚから２０，０００Ｈｚの間の音響帯の波長を有する波、又は、入口１１２の最低共振周波数未満など、機械的振動に関連付けられた波）、取付機構１１６は、センサー機構１１８‐１に対する振動及び／又は音波の機械的連結が改善されるように、入口１１２に対面する面などにインピーダンス整合材料（ゲル、接着剤、はんだなど）を含むことがある。
【００３２】
入口１１２に関連付けられた環境条件を特定するために、１以上の電子機器１１０の１つ以上が、測定された環境信号（「電気信号」と称されることもある）を分析することがある。例えば、環境条件は、入口１１２を無理に開ける試み、入口１１２を無理に開けること、入口１１２を壊す試み、入口１１２を壊すこと、入口１１２に関連付けられた錠のピッキングの試み、錠のピッキングをすること、入口１１２の錠のドリリングの試み、入口１１２の枠を傷つける試み、入口１１２の不正使用、入口１１２に進入する動物、入口１１２に進入する人の音声応答（「ただいま」など）、入口１１２のノック、入口１１２への風の吹きつけ、入口１１２付近までの小包みの配達、誤った鍵の錠への挿入、正しい鍵の錠への挿入、及び／又は、センサー機構（センサー機構１１８‐１など）の誤動作を含むことがある。特に、電子機器１１０‐１は、センサー機構１１８‐１からの測定値（例えば、電気信号）を分析する集積回路１２０‐１を含むことがある。この分析は、電子信号からノイズを取り除くフィルタリング（低域フィルタ又は帯域フィルタ）、そして、より一般的には、スペクトル成形を含むことがある。加えて、分析は、電圧計、電流計、相互インピーダンス増幅器、位相検出器、共振モニタ、フーリエアナライザ、スペクトラムアナライザ、ロックイン増幅器（入口１１２に関連付けられた波に対応する基本周波数を有する時変電気信号に同期させることがある）、平均化回路（電子信号の複数の測定値を平均化させる）、ヘテロダイン受信機（及び、より一般的には復調器）、及び／又は、電気信号の１以上のインスタンスを測定または捕捉する別の測定デバイスを使用した、測定、及び／又は、検知を含むことがある。つまり、集積回路１２０‐１によって実施される分析は、同期又は非同期検知を含むことがある。
【００３３】
一部の実施形態では、分析は事前設定情報に基づいて行われる。特に、事前設定情報（パラメータから入口１１２の変位への変換など）は、保存された参照又は変換テーブルを使用して、（電子機器１１０‐１上で）ローカルで取得されることがある。あるいは、又は、それに加えて、電子機器１１０‐１のインタフェース回路１２２‐１（又はネットワークインタフェース）は、任意のネットワーク１２４を介して任意のコンピュータ１２６からなど（インターネット、無線ローカルエリアネットワーク、イーサネット(登録商標)ネットワーク、イントラネット、光ネットワークなど）、遠隔から事前設定情報にアクセスしてもよい。つまり、分析は、パラメータの値と対応する変位をまとめた参照又は変換テーブルを使用して、測定されたパラメータを入口１１２の変位に変換することを含むことがある。
【００３４】
同様に、分析は、入口１１２の電子機器１１０‐１の場所１１４‐１に基づいて、入口１１２と関連付けられた所定の機械的伝達関数（変換テーブルの１つでもよい）のために、測定された環境信号を補正することを含むことがある。例えば、フーリエ変換（離散フーリエ変換など）は、測定された環境信号を周波数領域に変換することがある。そして、場所１１４‐１での機械的伝達関数の逆数を使用して、場所１１４‐１における入口１１２の動的応答が補正されてもよい。次に、逆フーリエ変換によって、補正された環境信号が時間領域に変換されてもよい。あるいは、機械的伝達関数の効果は、測定された環境信号から機械的伝達関数をデコンヴォルーションすることによって、削除又は補正されてもよい。例えば、扉が、矩形のドラムヘッド状にモデル化され、（扉が閉まっている場合に）蝶番又は錠に変位がない（又は、変位が最小）とする。すると、誰かが扉をノックする又は叩きつけるなどの衝撃に応答して、扉の異なる場所で多様な変位のある振動の様相が発生することがある。
【００３５】
加えて、集積回路１２０‐１は、環境信号の測定値の履歴を使用して、測定された環境信号を分析することがある。例えば、集積回路１２０‐１は、測定値の履歴の保存された値を使用して、ローカルで（電子機器１１０‐１上で）測定値の履歴を取得してもよい。あるいは、又は、それに加えて、電子機器１１０‐１のインタフェース回路１２２‐１（又は、ネットワークインタフェース）は、例えば、任意のネットワーク１２４を介して任意のコンピュータ１２６から、測定値の履歴にアクセスしてもよい。
【００３６】
なお、環境条件は、閾値（０．０１ｍを超える変位の度合い、又は、０．０１ｍ／ｓの速度など）と比較して決定されてもよい。従って、測定された環境信号（又は、補正された環境信号）は閾値と比較され、二進出力が計算されてもよい（例えば、閾値未満は「０」で、閾値より大きいと「１」など）。あるいは、絶対変位、速度、又は、加速が、一定の正確性（０．１％など）で決定されてもよい。このように、入口１１２（そして、より一般的には、入口１１２を含む外部環境１２８）と関連付けられた（上記特定の情報を含むことがある、及び／又は、特定の情報の機能である、又は、特定の情報に依拠することがある）環境条件が決定されてもよい。
【００３７】
更に、入口１１２に沿った異なる場所１１４に電子機器１１０の複数のインスタンスがある場合、１以上の電子機器１１０による測定された環境信号の分析に、２つ以上の電子機器１１０のセンサー機構による測定値が使用されることがある。例えば、電子機器１１０‐２のインタフェース回路は、測定値をインタフェース回路１２２‐１に通信することがある。この通信は、パケットの無線通信を伴うことがある。これらのパケットは、１以上の無線チャネルのフレームに含まれることがある。そして、インタフェース回路は、無線信号１３２（ギザギザ線で図示される）を１以上のその他の電子機器１１０に送信する無線通信機（無線通信機１３０‐１など）を含むことがあり、無線信号は無線通信機のインスタンスにより受信される。概して、電子機器１１０間の無線通信は、これら電子機器間で確立された接続を伴っても、伴わなくてもよく、従って、無線ネットワークを介して通信をしても、介さなくともよい。あるいは、又は、それに加えて、図５を参照して更に後述するように、センサー機構１１８‐１は、入口１１２に沿った異なる場所１１４に、無線信号１３２又は有線通信を介して、インタフェース回路１２０‐１に測定値を通信する複数のセンサーを含むことがある。更に、一部の実施形態では、通信は入口１１２を介して発生することがある。とりわけ、基本周波数を有する搬送波（振動など）は、振幅変調、周波数変調、位相変調、パルス符号変調など、暗号化技術を使用して情報を伝達することがある。
【００３８】
一部の実施形態では、電子機器１１０‐１は、電力信号をセンサー機構１１８‐１と集積回路１２０‐１とに提供する電源１３４‐１を含む。例えば、電源１３４‐１は、電池（そして、より一般的には、１以上の電池又はバッテリーパックを含み、保存された化学エネルギーを電気に変換する装置）を含むことがある。あるいは、又は、それに加えて、電源１３４‐１は、電子機器１１０‐１の外部環境１２８の電磁放射（周波数帯域に少なくとも基本周波数を有する電磁放射など）から電力信号を受信し、電力信号をセンサー機構１１８‐１と集積回路１２０‐１とに提供する、受信回路を含む（又は、インタフェース回路１２２‐１を使用する）ことがある。つまり、別の電子機器が外部環境１２８の電磁放射を送信することがある。電磁放射は、少なくとも一部の電子機器１１０に電力を供給するために、１以上の電子機器１１０によって受信されることがある。
【００３９】
一部の実施形態では、電源１３４‐１は、充電回路及び充電式電池を含むことがある。充電回路は、電源１３４‐１によって出力された電気信号に基づいて（例えば、受信した電磁放射に基づいて）充電式電池を充電することがある。つまり、電子機器１１０‐１に電力を供給するために（直接的又は間接的に）電磁放射が使用されることがあり、それによって、充電式電池の動作寿命、又は、充電までの時間が改善される。一部の実施形態では、充電回路は、安定化電源、ＤＣ電源、ＡＣ電源、スイッチモード電源などを含む。充電を促進するために、電源１３４‐１からの電気信号を、充電式電池の充電に適したＤＣ又はＡＣ電気信号に変換してもよい。
【００４０】
環境条件を特定、決定した後、電子機器１１０‐１は、インタフェース回路１２２‐１を使用して、この情報を、電子機器１３６などの１以上のその他の電子機器（電子機器１１０の別のインスタンス、レガシー電子機器、利用者の携帯電話など）に通信することがある。例えば、電子機器１１０‐１は、入口１１２に関連付けられていると決定された情報を特定する情報のパケットを、電子機器１３６に無線通信してもよい。これらのパケットは、１以上の無線チャネルのフレームに含まれることがある。そして、電子機器１３６は、無線通信機１３０‐２を使用して無線信号１３２を受信してもよい。概して、電子機器１１０及び１３６間の無線通信は、これら電子機器間で確立された接続を伴っても、伴わなくてもよく、従って、無線ネットワークを介して通信をしても、介さなくともよい。なお、任意のコンピュータ１２６及び電子機器１１０間の任意のネットワーク１２４を介した通信は、無線信号１３２に関連付けられた通信プロトコルとは異なる通信プロトコルを伴うことがある。従って、任意のネットワーク１２４を介した通信は、無線信号１３２を伴っても、伴わなくてもよい。
【００４１】
特定された環境条件によって、各種サービスや、図１の電子機器の機能性の改善が促進されることがある。例えば、サービスは、電子機器１１０及び／又は１３６と関連付けられた利用者（これらの電子機器の所有者又は賃借人など）、構成要素又は予備部品の供給者、保守人員、セキュリティ人員、緊急サービス人員、保険会社、保険仲買人、不動産仲買業者、管理代理機関、アパート貸借人、ホテルの顧客、ホテル、レストラン、ビジネス、組織、政府、物品の潜在的購入者、出荷搬送会社などに提供されることがある。特に、特定された環境条件によって、図１の１以上の電子機器（電子機器１１０及び／又は１３６に情報を直接通信する、又は、直接通信しないことがあるレガシー電子機器、及び／又は、レギュレータ装置など）の機能と動作を適応、又は、変更させることがある。例えば、入口１１２を介して無理に進入する試みが検知された場合、警報が鳴らされてもよい。あるいは、小包みが入口１１２の前に配達されたとき、利用者の携帯電話に通知されてもよい。別の例では、家族のペットが入口１１２（いわゆる「犬用通用口」など）から住居に進入したとき、利用者の携帯電話に通知が送られてもよく、利用者は、ペットが屋内にいるか、屋外にいるかを決定するために、ペットによる出入りのダイジェスト又は要約を受信できる。同様に、入口１１２が開いている、又は、閉じている状態で、外部環境１２８の別の環境条件（温度、相対湿度、アレルゲン濃度、扉に吹きつける閾値レベルよりも強い風など）が動的に変更されることがある（暖房のオン又はオフ、加湿器のオン又はオフ、エアフィルタのオン又はオフ、照明のオン又はオフなどによって）。加えて、サービスに入口１１２及び／又は電子機器１１０の保守通知が含まれることがある。例えば、特定された環境条件に基づいて、電子機器１１０は利用者の携帯電話に是正措置（入口１１２に行われる修理又はサービス、電子機器１１０‐１の故障センサー、及び／又は、鍵の修理による入口１１２からの不正侵入の是正など）を行うための保守通知を（例えば、任意のネットワーク１２４を介して）提供することがある。
【００４２】
図１に示される環境を一例として説明したが、他の実施形態では、異なる数又は種類の電子機器があってもよい。例えば、一部の実施形態には、より多くの、又は、少ない電子機器が含まれる。更に、図１には図示されないが、電子機器１１２の１以上の構成要素が、追加の信号線又はバスによって連結又は接続されることがある。
【００４３】
図２は、図１の電子機器１１０の１つである、電子機器２００のブロック図を表す。電子機器は、プロセッシングサブシステム２１０（そして、より一般的には、集積回路又は制御機構）、メモリサブシステム２１２、ネットワーキングサブシステム２１４、電力サブシステム２１６、スイッチングサブシステム２２０、及び、任意のセンサーサブシステム２２４（つまり、データ収集サブシステム、及び、より一般的には、センサー機構）を含む。プロセッシングサブシステム２１０は、演算動作を実施し、センサーデータを処理する技術を実施するよう構成された１以上の装置を含む。例えば、プロセッシングサブシステム２１０は、１以上のマイクロプロセッサ、特定用途向け集積回路（ＡＳＩＣ）、マイクロコントローラ、プログラマブル論理素子、及び／又は、１以上のデジタル信号プロセッサ（ＤＳＰ）を含み得る。
【００４４】
メモリサブシステム２１２は、プロセッシングサブシステム２１０、ネットワーキングサブシステム２１４、及び／又は、任意のセンサーサブシステム２２４のためにデータ、及び／又は、命令を記憶するための１以上の装置を含む。例えば、メモリサブシステム２１２は、ダイナミックランダムアクセスメモリ（ＤＲＡＭ）、スタティックランダムアクセスメモリ（ＳＲＡＭ）、及び／又は、その他の形式のメモリを含み得る。メモリサブシステム２１２は、１以上の変換テーブル２３６（パラメータ値及び対応する環境条件の値を有するテーブル、又は、機械的伝達関数の値を有するテーブル）を格納することがある。一部の実施形態では、メモリサブシステム２１２内にある、プロセッシングサブシステム２１０に対する命令は、１以上のプログラムモジュール２３２又は命令一式を含み、プロセッシングサブシステム２１０によって、動作環境（オペレーティングシステム２３４など）で実行されることがある。なお、１以上のコンピュータプログラムは、コンピュータプログラム機構又はプログラムモジュールを構成してもよい。また、メモリサブシステム２１２内の各種モジュールの命令は、ハイレベル手続き型言語、オブジェクト指向プログラミング言語、及び／又は、アセンブリ又は機械言語で実装されることがある。更に、プログラミング言語はコンパイル又は翻訳されることがあり、例えば、プロセッシングサブシステム２１０によって実行されるように構成可能又は構成されることがある（本明細書中では言い換え可能に使用されることがある）。
【００４５】
加えて、メモリサブシステム２１２は、メモリへのアクセスを制御する機構を含み得る。一部の実施形態では、メモリサブシステム２１２は、電子機器２００中のメモリに連結された１以上のキャッシュを含むメモリ階層を含む。これらの実施形態の一部では、１以上のキャッシュがプロセッシングサブシステム２１０内におかれる。
【００４６】
一部の実施形態では、メモリサブシステム２１２は１以上の大容量マスストレージ装置（図示せず）に連結されている。例えば、メモリサブシステム２１２は、磁気又は光学ドライブ、ソリッドステートドライブ、又は、その他の形式のマスストレージデバイスに接続され得る。これらの実施形態では、メモリサブシステム２１２は、使用頻度の高いデータの高速アクセス記憶装置として電子機器２００によって用いられることがあり、マスストレージデバイスは使用頻度の低いデータを記憶するのに用いられる。
【００４７】
ネットワーキングサブシステム２１４は、（ネットワーク操作を実行するため、そしてより一般的には、通信を行うために）有線、光、及び／又は、無線ネットワークに接続され、通信するよう構成された、インタフェース回路２２８（ＺｉｇＢｅｅ（登録商標）通信回路など）及び１以上のアンテナ２３０などの１以上の装置を含む。例えば、ネットワーキングサブシステム２１４は、ＺｉｇＢｅｅ（登録商標）ネットワーキングサブシステム、ＢｌｕｅｔｏｏｔｈＴＭネットワーキングシステム（ＢｌｕｅｔｏｏｔｈＴＭ  Ｌｏｗ  Ｅｎｅｒｇｙ  ＢＬＥ又はＢｌｕｅｔｏｏｔｈＴＭ  ＬＥを含み得る）、セルラーネットワーキングシステム（例えば、ＵＭＴＳ、ＬＴＥなどの３Ｇ／４Ｇネットワーク）、ＵＳＢネットワーキングシステム、ＩＥＥＥ８０２．１１規定の標準に基づいたネットワーキングシステム（例えば、Ｗｉ‐Ｆｉ（登録商標）ネットワーキングシステム）、Ｅｔｈｅｒｎｅｔネットワーキングシステム、赤外線通信システム、電力線通信システム、及び／又は、その他の通信システム（近距離無線通信システム又はアドホックネットワーキングシステムなど）を含むことがある。
【００４８】
また、ネットワーキングサブシステム２１４は、各サポートされるネットワーキング又は通信システムに接続し、通信し、データやイベントを扱うプロセッサ、コントローラ、無線通信機／アンテナ、ソケット／プラグ、及び／又は、その他の装置を含む。なお、各ネットワークシステムのためにネットワークに接続し、通信し、データやイベントを扱うために使用される機構は、当該ネットワークシステムの「ネットワークインタフェース」と総称されることがある。また、一部の実施形態では、電子機器間の「ネットワーク」は未確立のことがある。従って、電子機器２００は、例えば、近距離無線通信に関連した宣伝フレーム、請願、ビーコン、及び／又は、情報を送信するなど、電子機器２００とその他の電子機器の間で簡単な無線通信を行うためにネットワーキングサブシステム２１４の機構を使用してもよい。
【００４９】
また、電子機器２００は、１以上の電源２１８を有する電力サブシステム２１６を含むことがある。これらの電源は、それぞれ、電池（充電式電池、又は、非充電式電池など）、ＤＣ電源装置、変圧器、及び／又は、スイッチモード電源装置を含むことがある。また、１以上の電源２１８は、電圧制限モード又は電流制限モードで動作することがある。更に、これら電源は、オス又はメスアダプタによって、壁又は電気取出口ソケット又はプラグ（折りたたみ式又は引き込み式二又、又は三又電気取出口プラグなど）、光源用ソケット（又は、電球ソケット）、電線（複数線電極など）、発電機、ＵＳＢポート又はコネクタ、ＤＣプラグ又はソケット、携帯電話充電ケーブル、光ダイオード、光起電力電池等と機械的、電気的に接続されてもよい。この機械的、電気的接続は、強固でもよく、又は、着脱可能でもよい。なお、１以上の電源２１８が、スイッチングサブシステム２２０のスイッチ２２２の１以上の電気接続ノードによって、機械的及び電気的に、外部の電源又はその他の電子機器に接続されてもよい。
【００５０】
一部の実施形態では、電力サブシステム２１６は、１以上の電気コネクタに差し込みができる外部電子機器（電気製品又はレギュレータ装置など）につなぐための１以上の電気コネクタ用のパススルー電源を含む、又は、パススルー電源として機能する。１以上の電気コネクタ（そして、外部電子機器）への電力は、プロセッシングサブシステム２１０、スイッチングサブシステム２２０によって（スイッチ２２２によってなど）ローカルで制御されてもよく、及び／又は、ネットワーキングサブシステム２１４を介して遠隔から制御されてもよい。
【００５１】
センサー機構１１８‐１（図１）に加えて、任意のセンサーサブシステム２２４は、１以上のプロセッサ及びメモリを含み得る１以上のセンサー装置２２６（又は、センサーアレイ）を含むことがある。例えば、１以上のセンサー装置２２６は、温度センサー（温度計など）、湿度センサー、気圧計、カメラ又は動画レコーダー（ＣＣＤ又はＣＭＯＳ画像センサーなど）、１以上のマイクロフォン（モノラル又はステレオの音声帯域周波数の音響情報を含む、音響情報を録音できてもよい）、荷重監視センサー又は電気的特性検出器（そして、より一般的には、１以上の電気的特性を監視するセンサー）、赤外線センサー（能動又は受動でもよい）、顕微鏡、粒子検出器（鱗屑、花粉、埃、排気ガスなどの検知器など）、空質センサー、粒子センサー、光学粒子センサー、イオン化粒子センサー、煙検出器（光電式煙検出器またはイオン化式煙検出器など）、火災検知器、ラドン検出器、一酸化炭素検出器、化学センサー又は検出器、揮発性有機物質センサー、可燃性ガスセンサー、化学分析装置、質量分析計、微量分析装置、ナノプラズモンセンサー、遺伝子センサー（マイクロアレイなど）、加速度計、場所または位置センサー（全地球測位システム（ＧＰＳ）に基づく位置センサーなど）、ジャイロスコープ、モーションセンサー（光線センサーなど）、接触センサー、ひずみセンサー（例えば、歪みゲージ）、近接センサー、マイクロ波/レーダセンサー（能動的又は受動的でもよい）、超音波センサー、振動センサー、流体流量センサー、光検出器、ガイガーカウンタ、無線周波数放射検出器、及び/又は、物理的効果を測定するか、または環境要因または物理的現象を（直接的または間接的に）特徴付ける別のデバイスであってもよい。なお、正確性の改善及び／又は精密性の改善のため、１以上のセンサー装置２２６は、センサーの障害や誤読に対処するための（センサー装置の１つの形式に対する複数のインスタンスなど）冗長性を含んでいてもよい。
【００５２】
電子機器２００の運用中に、プロセッシングサブシステム２１０は、外部環境中で入口に関連付けられた環境信号を測定するため、１以上のセンサー装置２２６を使用する環境監視アプリケーションなど、１以上のプログラムモジュール２３２を実行することがある。その結果の測定値は、入口と関連付けられた環境条件を特定するために、環境監視アプリケーションによって分析されることがある。また、特定された環境条件は、環境監視アプリケーションによって、電子機器及び／又は外部電子機器（レギュレータ装置など）の操作を修正し、及び／又は、外部環境の情報を他の（別の）電子機器に（例えば、ネットワーキングサブシステム２１４を介して）提供するために使用されることがある。
【００５３】
また、電力サブシステム２１６によって（例えば、受信した電磁信号に応じて）作成された電気信号は、１以上の電源２１８を充電するために使用されることがある。例えば、電子機器２００の運用中又は待機モード中に、この電力は、少なくとも部分的に、（電子機器２００の１以上の構成要素と関連付けられる）電力損失をオフセット又は補完してもよい（これは、寄生電力損失と称されることもある）。
【００５４】
入口に関連付けられた環境条件が特定された後、環境監視アプリケーションは、ネットワーキングサブシステム２１４を介して、この情報を１以上のその他の電子機器と共有してもよい。
【００５５】
電子機器２００内で、プロセッシングサブシステム２１０、メモリサブシステム２１２、ネットワーキングサブシステム２１４、電力サブシステム２１６、スイッチングサブシステム２２０、及び／又は、任意のセンサーサブシステム２２４は、バス２３８などの１以上の相互配線を用いて連結されてもよい。これらの相互配線は、サブシステムが互いにコマンドやデータを通信するのに使用できる、電気、光、及び／又は、電気光学接続を含むことがある。なお、異なる実施形態では、サブシステム間に、異なる数、又は、構成の電気、光、及び／又は、電気光学接続があってもよい。
【００５６】
電子機器２００は、多様な電子機器でもよい（又は、に含まれることがある）。例えば、電子機器２００は、センサー（スマートセンサーなど）、タブレットコンピュータ、スマートフォン、携帯電話、電気製品、レギュレータ装置、家電（赤ちゃんモニタなど）、携帯コンピューティング装置、試験用機器、デジタル信号プロセッサ、コントローラ、携帯情報端末、レーザプリンタ（又は、コピー機などその他のオフィス設備）、パーソナルオーガナイザ、玩具、セットトップボックス、コンピューティングデバイス（ラップトップコンピュータ、デスクトップコンピュータ、サーバ、及び/又は、サブノート／ネットブック）、照明（夜間光など）、アラーム、煙検知器、一酸化炭素検知器、監視装置、及び/又は、他の電子装置（ルータまたはスイッチなど）でもよい（又は、に含まれてもよい）。
【００５７】
特定の構成要素を使用して電子機器２００が説明されるが、別の実施形態では、電子機器２００中に異なる構成要素及び／又はサブシステムが存在することがある。例えば、電子機器２００は、１以上の追加のプロセッシングサブシステム、メモリサブシステム、ネットワーキングサブシステム、電力サブシステム、スイッチングサブシステム、及び／又は、センサーサブシステムを含むことがある。加えて、１以上のサブシステムは電子機器２００に存在しないことがある。更に、一部の実施形態では、電子機器２００は、ユーザインタフェースサブシステム、ディスプレイサブシステム、及び／又は、フィードバックサブシステムなど、図２に示されない１以上の追加サブシステムを含むことがある（スピーカ及び／又は光源を含むことがある）。
【００５８】
図２には分離されたサブシステムが示されるが、一部の実施形態では、電子機器２００内で、あるサブシステム又は構成要素の一部又は全部が、１以上のその他のサブシステム又は構成要素に統合され得る。例えば、一部の実施形態では、１以上のプログラムモジュール２３２がオペレーティングシステム２３４に含まれる。一部の実施形態では、あるサブシステムの構成要素が、異なるサブシステムに含まれる。
【００５９】
また、電子機器２００の回路及び構成要素は、バイポーラ、ＰＭＯＳ、及び／又は、ＮＭＯＳゲート又はトランジスタを含む、アナログ及び／又はデジタル回路構成のいずれかの組み合わせを用いて実装されてもよい。更に、これら実施形態の信号は、略離散値を持つデジタル信号、及び／又は、連続値を持つアナログ信号を含むことがある。加えて、構成要素及び回路はシングルエンド又は差動でもよく、電源は単極または双極でもよい。
【００６０】
集積回路は、ネットワーキングサブシステム２１４（無線通信機など）の機能の一部又は全部を実装してもよく、より一般的には、電子機器２００の機能の一部又は全部を実装してもよい。また、集積回路は、電子機器２００から無線信号を送信し、そして、電子機器２００が他の電子機器から信号を受信するのに使用するハードウェア及び／又はソフトウェア機構を含むことがある。本明細書に記載の機構の他、無線通信機は当該分野で一般的に知られているため、詳細は記載しない。概して、ネットワーキングサブシステム２１４及び／又は集積回路は、いくつの無線通信機を含んでいてもよい。なお、複数の無線通信機を用いる実施形態における無線通信機は、１つの無線通信機を用いる実施形態における無線通信機と同様に機能する。
【００６１】
一部の実施形態では、ネットワーキングサブシステム２１４及び／又は集積回路は、無線通信機が所定の通信チャネル（例えば、所定の搬送波周波数）上で送受信するよう設定する設定機構（１以上のハードウェア及び／又はソフトウェア機構など）を含む。例えば、一部の実施形態では、設定機構を使用して、無線通信機を所定の通信チャネルの監視及び／又は送信から、異なる通信チャネルの監視及び／又は送信に切り替えることができる。（なお、本明細書中で「監視」は、その他の電子機器から信号を受信することと、受信した信号に対して、場合によって、１以上の処理操作を実施することとを含む。例えば、受信した信号が、宣伝フレーム、請願、ビーコンなどを含むかを決定する。）
【００６２】
上述した実施形態の動作の一部はハードウェア又はソフトウェアで実施されるが、概して、上述した実施形態の動作は、多様な設定及び構成で実施され得る。従って、前述した一部の実施形態又は全ての操作がハードウェア、ソフトウェア、又は、その両方によって実施されてもよい。
【００６３】
環境監視技術の局面は、集積回路を使用して実施されることがある。これは図３に示され、電子機器２００（図２）の集積回路３００のブロック図を表す。特に、この集積回路は、センサー機構１１８‐１（図２の１以上のセンサー装置２２６など）、他の外部構成要素に電気的に連結する１以上の入力ノード３１０、及び、インタフェース回路１２０‐１（又は、図２のインタフェース回路２２８）を含むことがある。
【００６４】
一部の実施形態では、本明細書に記載された１以上の回路を含む、集積回路３００、又は、集積回路３００の一部を設計するプロセスの出力は、例えば、磁気テープ、又は、光ディスク、又は、磁気ディスクなどコンピュータ読み取り可能な媒体であってもよい。コンピュータ読み取り可能な媒体は、データ構造、又は、集積回路３００又は集積回路３００の一部として物理的にインスタンス化されるその他の情報記述回路構成で暗号化されることがある。このような暗号化には各種フォーマットが使用できるが、これらのデータ構造は一般的にＣａｌｔｅｃｈ  Ｉｎｔｅｒｍｅｄｉａｔｅ  Ｆｏｒｍａｔ（ＣＩＦ）、Ｃａｌｍａ  ＧＤＳＩＩ  Ｓｔｒｅａｍ  Ｆｏｒｍａｔ（ＧＤＳＩＩ）、又は、Ｅｌｅｃｔｒｏｎｉｃ  Ｄｅｓｉｇｎ  Ｉｎｔｅｒｃｈａｎｇｅ  Ｆｏｒｍａｔ（ＥＤＩＦ）で記述される。集積回路の設計分野の当業者は、上述したような形式の模式図や対応する記述からこのようなデータ構造を展開することができ、コンピュータ読み取り可能な媒体上のデータ構造を暗号化することができる。集積回路の製造分野の当業者は、本明細書に記載された１以上の回路を含む集積回路を製造するために、このような暗号化されたデータを使用することができる。
【００６５】
環境監視技術及び電子機器の動作について、更に説明する。図４は、入口と関連付けられた環境条件を特定する方法４００を示すフロー図を表す。方法４００は、電子機器１１０（図１）の１つによって実施されることがある。動作中、電子機器は、入口に機械的に連結された１以上の追加の電子機器から、測定された環境信号を受信する（動作４１０）。環境信号は振動、及び／又は、音音響信号と対応し（関連し）、１以上の追加の電子機器は入口の異なる場所に置かれている。そして、電子機器は、測定された環境信号を分析して環境条件を特定する（動作４１２）。分析は、環境信号の測定値の履歴に基づいて行われる（例えば、測定された環境信号は、ベースラインからの変化又は偏差を決定するために測定値の履歴と比較されてもよい）。なお、分析は、電子機器による、入口と関連付けられた環境信号の測定に基づいて行われてもよい。更に、一部の実施形態では、分析は、入口にある１以上の追加の電子機器の異なる場所に基づいて、入口に関連付けられた機械的伝達関数のために、測定された環境信号を補正することを伴う。
【００６６】
好ましい実施形態では、センサー機構１１８‐１は、音響信号を測定する。これは図５に示され、図５は方法４００（図４）を示す図を表す。この例では、異なる電子機器の代わりに、センサー機構１１８‐１と関連付けられた複数のセンサー５１０が、入口１１２の異なる場所５１２にある。理想的には、センサー５１０は、入口１１２の衝撃に相対する対交点に位置するとよい。入口１１２にセンサー５１０を設置している際に、好ましい、又は、所定の場所５１２の情報が電子機器１１０‐１に表示されても、又は、利用者に通信されてもよい。一方、一部の実施形態では、利用者は、センサー５１０を入口１１２のランダムな場所５１２に設置する。なお、センサー５１０は、測定された環境信号を、無線通信、有線通信、及び／又は、入口１１２を介して、電子機器１１０‐１に通信してもよい（例えば、人の聴覚範囲内外の基本周波数を有する変調波形など、振動で伝えられる情報を使用して）。加えて、通信は、センサー５１０の固有の識別子を含んでいることがあり、それによって、電子機器１１０‐１は、測定された環境信号とその発信源（つまり、特定の場所５１２のセンサー）とを関連付けられる。
【００６７】
測定された環境信号は、無関係の信号やノイズを除外するローパス又はバンドパスフィルタを使用して分析されることがある。更に、機械的伝達関数に加えて、又は、それとは別に、センサー５１０からの測定された環境信号は、入口１１２の衝撃があったであろう位置５１４を決定する（入口１１２をノックする誰かなど）時間関数として分析されることがある。この分析は、入口１１２の音波の伝播速度に基づいて行われることがある。加えて、分析は、グリーン関数を使用して、位置５１４の衝撃に基づいて、ある所定のセンサーで環境信号を決定してもよい。上述した機械的伝達関数のための補正の場合のように、この分析は、衝撃の強さや度合い（衝撃のピーク振幅など）を決定するために反転されてもよい。これによって、補正された環境信号を測定値の履歴又はベースラインと比較することで、環境条件が可能になることがある（この例では、誰かが入口１１２をノックしている）。特に、ベースラインに対する環境信号の増加は、環境条件の存在を示すことがある。
【００６８】
他の例では、センサー５１０は、注目すべき活動のサインを検知することがある。例えば、センサー５１０は、錠のピッキング、又は、ドリリング、扉を蹴ること、扉をノックすること、ガラスを割ること、かなてこを使ってこじ開けること（又は、その他の家宅侵入ノイズ）と関連付けられる音を検知することがある。（ノック音の履歴中の）ノックプロファイル及び／又は時間を使用することで、小包みの配達が特定されることがある。これによって、電子機器１１０‐１は電子機器１１０‐１の利用者に宅配が届いたことを知らせてもよい。あるいは、犯罪者が、扉が施錠されているかを確認するために扉を調べることがある。この変則的な行為は、住居、商業施設、又は、産業スペースに誰もいない時間に発生した場合に、検知されることがある。ある位置（家など）又は近所（又は、会社の構内の複数の建物）にある電子機器１１０‐１のインスタンスが、ある時間間隔中（一時間、数時間、又は、連続した日など）に同様のイベントを報告した場合、１以上の電子機器又は電子機器と通信する中央のサーバが、これを当局（警察又はセキュリティ会社など）に報告してもよい。加えて、電子機器１１０‐１は、潜在的な犯罪を阻止するために、入口１１２の近く又は近辺の灯りを作動させてもよい。一部の実施形態では、電子機器１１０‐１がいわゆる「犬用通用口」を介して進入するペットを監視するのに使用される。
【００６９】
時間、位置、近隣の場所での行為、及び、行為のサイン（ノック、攻撃者の扉の調査など）の組み合わせによって、通常の入口で行われる行為を、実際のセキュリティリスクを示すことがある変則的な入口で行われる行為から区別することができる。例えば、扉の錠をドリリングするという行為のサインによって、警報が鳴らされてもよい。しかし、これが通常の営業時間内に発生し、電子機器と通信するサーバが建物の修繕計画に関するサービス注文のデータベースに問い合わせ、その時点で作業者が扉にドリルをかけて作業をしている可能性が高い場合、サーバは、直ちに当局に知らせるのではなく、スタッフメンバ又はセキュリティガードに対して入口を再確認するよう知らせてもよい。あるいは、同じ行為のサインが４時に銀行の扉で検知された場合、サーバは、当局に直ちに直接知らせてもよい。なお、行為のサインは、時間、位置、発生の頻度などを含む行為の履歴データベースに記録され、比較されることがある。
【００７０】
図５のセンサー５１０の構成は、説明の目的のために示される。他の実施形態では、異なる構成のトポロジーが使用される。例えば、１つの電子機器がセンサー５１０に多くの一対一接続又は一対ハブ接続をするスタートポロジーが使用されることがある。別の実施形態では、電子機器のインスタンス及び／又は複数のセンサー間で、シリアル又はチェーン形式の通信が使用される。これらのいずれかの実施形態では、センサー及び／又は電子機器のインスタンスが、網目状ネットワークに配備され、通信は１つの電子機器又はセンサーから、近辺の電子機器又はセンサーへのパケットのホープを伴う。上述したように、無線、有線、及び／又は、入口１１２の振動を介して通信が行われることがある（例えば、電子機器の音響変換器は、人の聴覚範囲内外の振動を介して情報を送受信することがある）。
【００７１】
なお、利用者がセンサー５１０を入口１１２に設置する際に、利用者によってセンサー５１０の場所５１２（又は、センサー位置の空間地図）が提供されてもよい。一方、その他の実施形態では、局地測位システム及び／又は全地球測位システムを用いて、少なくとも部分的に場所５１２が決定される。（よって、一部の実施形態では、電子機器は位置センサーを含む。）より一般的には、センサー５１０の場所５１２（及び／又は、電子機器の複数のインスタンス）は、三角測量又は三辺測量を用いて決定されてもよい。例えば、センサー５１０のそれぞれが、総当り方式で信号を送信し、他のセンサー５１０までの飛行時間を測定することで場所５１２が決定され得る。
【００７２】
環境条件が特定されると、環境条件は是正活動の目安として使用されることがある。環境条件によっては、これに、警告や警報の提供が含まれることがある。一方、環境条件は、外部環境中のその他の環境条件を修正するのに使用されることもある。例えば、扉又は窓が開けられたとき、電子機器のスイッチは、選択的に、他の電子機器（レギュレータ装置など）を電源と電気的に連結、又は、電源から電気的に分離してもよい。このように、レギュレータ装置（暖房機、空調機、空気フィルタなど）は、選択的に作動されてもよい。あるいは、又は、それに加えて、利用者の健康状態に関連して調整がなされてもよい。なお、上述の考察は、静的又は固定的選択（例えば、環境条件）に基づいた、選択的な電気的連結又は分離を説明したが、より一般的には、調整は、時間変数として、又は、特定された環境条件に伴って進展又は変化することがある。これによって、電子機器がその他の環境条件に動的に応答し、制御することが可能になる。
【００７３】
図６は、方法４００（図４）中の電子機器１１０‐１（図１）内の通信を説明する図を表す。電子機器１１０‐１の動作中、インタフェース回路１２２‐１は、電子機器１１０‐２から、測定値６１０を任意で受信する。測定値６１０は、電子機器１１０‐２が入口の変位を検知したときに電子機器１１０‐２によって送信される。これらの測定値は、集積回路１２０‐１に提供される。加えて、センサー機構１１８‐１は、入口の変位に関する測定６１２を実施し、これら測定値は集積回路１２０‐１に提供される。
【００７４】
それに応じて、集積回路１２０‐１は、測定値６１０及び／又は６１２を分析する６１４。この分析は、メモリ６１８又は別の外部装置（電子機器１３６など）からインタフェース回路１２２‐１を介して受信され得る１以上の変換テーブル６１６の使用を任意で伴うことがある。
【００７５】
続いて、集積回路１２０‐１は、分析６１４の結果６２０（特定された環境条件など）をインタフェース回路１２２‐１に提供し、インタフェース回路１２２‐１は、結果６２０を電子機器１３６などの別の電子機器に通信する。
【００７６】
上述の例は、環境監視技術の動作を行う集積回路１２０‐１を示すが、他の実施形態では、少なくとも一部のこれら動作が電子機器１１０‐１のプロセッサによって実施される（つまり、少なくとも一部の動作が、プロセッサによって実行されるソフトウェアによって行われることがある）。
【００７７】
１以上の上記方法の一部の実施形態では、動作が追加されることも、動作がより少ないこともある。更に、動作の順番は変更されることもあり、及び／又は、２以上の動作が１つの動作に組み合わされることもある。加えて、上記実施形態の一部では、構成要素がより少なく、構成要素がより多く、構成要素の場所が変わり、及び／又は、２以上の構成要素が組み合わされる。
【００７８】
上記説明では、入口に取り付けられた電子機器が示されたが、他の実施形態では（電子機器と関連付けられたセンサーの複数のインスタンスがある実施形態など）、電子機器は、入口の付近に取り付けられることがある。例えば、電子機器は壁、キャビネット、地面／床、囲い、及び／又は、入口付近に取り付けられてもよい。
【００７９】
上記説明では、「一部の実施形態」に言及した。なお、「一部の実施形態」は、全ての可能な実施形態のサブセットを説明するが、実施形態の同じサブセットを常に特定するものではない。
【００８０】
前述の説明は、当業者が本開示を活用できるようにするものであり、特定の用途及び要件の文脈において提供される。また、本開示の実施形態の前述の説明は、描写と説明の目的のためにのみ提示される。前述の説明は、開示された態様で本開示を網羅、又は、制限するものではない。したがって、当業者には多くの変更や変形例が明らかであり、本明細書で定義された一般的な原則は、本開示の精神と範囲から逸脱することなく、他の実施形態や用途にも適用され得る。加えて、前述の実施形態の考察は、本開示を制限するものではない。したがって、本開示は、本明細書に示される実施形態に制限されるものではなく、本明細書に開示された原則と特性に一致した最も広い範囲が与えられる。
【符号の説明】
【００８１】
１００  システム
１１０  電子機器
１１２  入口
１１４  場所
１１６  取付機構
１１８  センサー機構
１２０  集積回路
１２２  インタフェース回路
１２４  任意のネットワーク
１２６  任意のコンピュータ
１２８  外部環境
１３０  無線通信機
１３２  無線信号
１３４  電源
１３６  電子機器
２００  電子機器
２１０  プロセッシングサブシステム
２１２  メモリサブシステム
２１４  ネットワーキングサブシステム
２１６  電力サブシステム
２１８  電源
２２０  スイッチングサブシステム
２２２  スイッチ
２２４  任意のセンサーサブシステム
２２６  センサー装置
２２８  インタフェース回路
２３０  アンテナ
２３２  プログラムモジュール
２３４  オペレーティングシステム
２３６  変換テーブル
２３８  バス
３００  集積回路
３１０  入力ノード
４００  方法
４１０  動作
４１２  動作
５１０  センサー
５１２  場所
５１４  位置
６１０  測定値
６１２  測定値
６１４  分析
６１６  変換テーブル
６１８  メモリ
６２０  結果
【図１】
0006542358.tif 000002
【図２】
0006542358.tif 000003
【図３】
0006542358.tif 000004
【図４】
0006542358.tif 000005
【図５】
0006542358.tif 000006
【図６】
0006542358.tif 000007